(57)【要約】【課題】簡便な構造にて複合的な訓練により短期間で視力回復を可能にする視力回復訓練装置及び訓練方法を提供する。【解決手段】暗箱の一方の端に接眼部を備え、他方の奥に録画再生表示機を備え、暗箱内の接眼部上部に録画再生表示機の表示画面を縮小する凸ミラーを設け、接眼部から表示部への視線上に凸ミラーの写像を転送する傾倒可能なミラーを配置し、多種の訓練内容を録画した録画内容をミラーが倒伏状態の時は表示画面に映る映像を直接見て、ミラーが直立状態の時にはミラーに映る縮小映像とを交互に連続的に繰り返し見ることにより視力回復のための複合的訓練を行うようにした視力回復訓練装置。【選択図】  図２
2004337214.tif 000002
【特許請求の範囲】
【請求項１】
暗箱（１）の一方の端に接眼部（３）を備え、他方の奥に録画再生表示機（１０）を備えた視力回復装置であって、暗箱内の接眼部上部に録画再生表示機（１０）の表示画面（９）を縮小する凸ミラー（１３）を設け、接眼部（３）から表示画面（９）への視線上に凸ミラー（１３）の写像を接眼部（３）に向け転送する傾倒可能なミラー（１４）を配置し、多種の訓練内容を記憶した録画記録媒体（８）の画像を映し出す表示画面（９）を傾倒ミラー（１４）が倒伏状態の時は直接見て、ミラーが直立状態の時には傾倒ミラー（１４）に映る縮小映像を交互に連続的に繰り返し見ることにより視力回復のための複合的訓練を行うようにした視力回復訓練装置。
【請求項２】
視力回復のための訓練が、視力検査に用いられるランドルマークを大→小、小→大に表示させることにより行う水晶体と瞳孔の訓練と、ゴルフボール状のマークを移動させる事により視線を移動させ上下筋、下直筋や眼球移動筋を訓練する瞳孔の上下・縦横斜めの訓練と、光る星状のマークを移動表示させ、途中真っ暗な画面を表示させる事により瞳孔と虹彩に働きかける明暗の訓練と、ロケット状のマークを廻転させる事により眼球の回転の訓練とを録画記録媒体（８）に記録して選択的に表示画面（９）に表示させ視力回復訓練を行うようにした視力回復訓練方法。
【発明の詳細な説明】
【０００１】
【発明の属する技術分野】
本発明は、視力の回復訓練装置及び同装置を使用した視力回復訓練の方法に関するものである。
【０００２】
【従来の技術】
【特許文献１】特開２００１−６１９１７号公報
【特許文献２】特開平８−２５７０８０号公報
近視や遠視、老眼などの視力調節機能の低下は適切な訓練によって正常状態に回復できる可能性がある。その為、視力調節機能を回復させるための種々の視力回復装置が提案されている。例えば指標が前後方向に往復移動する装置（特許文献１）や、特殊な接眼レンズやＣＣＤカメラを駆使した装置（特許文献２）等がある。然しながらこれらは単一の指標を用いるため多様性が無く、また構成部品が高価となるなど問題があった。
【０００３】
視力回復には眼のあらゆる器官と機能を回復させる必要がある。特に水晶体、毛様体筋、虹彩筋、眼球移動筋、角膜、網膜視神経、脳などである。その為、できるだけ多くの訓練を同時にかつ簡便な構造の装置にて容易に行えることが肝要である。上記の従来の視力回復装置では、前後方向の指標の往復による遠近訓練、レンズを介してスライド画像を覗き、明暗を変化させることにより遠近訓練プラス明暗訓練など、１種類ないし２種類の訓練しか行えないため回復までに長期間時間を要していた。また、レンズを通しての注視となり眼の負担となる恐れや、構造が複雑な為、レンズの交換やその他の部所の故障等の心配や手間は否めなかった。
【０００４】
【発明が解決しようとする課題】
本発明は、上記の課題を解決するために簡易な構造で複合的な視力回復訓練を容易に行えることを目的としている。
【０００５】
【課題を解決するための手段】
上記目的を達成するために本発明の視力回復装置は、暗箱の一方の端に接眼部を備え、他方の奥に録画再生表示機を備え、暗箱内の接眼部上部に録画再生表示機の表示画面を縮小する凸ミラーを設け、接眼部から表示部への視線上に凸ミラーの写像を接眼部に向け転送する傾倒可能ミラーを配置し、多種の訓練内容を録画した録画内容をミラーが倒伏状態の時は表示画面に映る映像を直接見て、ミラーが直立状態の時にはミラーに映る縮小映像とを交互に連続的に見ることにより視力回復のための複合的訓練を行うことを特徴としている。
【０００６】
また視力回復のための訓練が、視力検査に用いられるランドルマークを大→小、小→大に表示させることにより行う水晶体と瞳孔の訓練と、ゴルフボール状のマークを移動させる事により視線を移動させ上下筋、下直筋や眼球移動筋を訓練する瞳孔の上下・縦横斜めの訓練と、光る星状のマークを移動表示させ、途中真っ暗な画面を表示させる事により瞳孔と虹彩に働きかける明暗の訓練と、ロケット状のマークを廻転させる事により眼球の回転の訓練とを録画記録媒体８に記録して選択的に表示画面９に表示させ視力回復訓練を行うようにしたことを特徴としている。
【０００７】
【発明の実施の形態】
以下図面に基づいて本発明を説明する。図１は視力回復装置の全体を示す構成図ある。図１において長方形の装置本体は、奥行き１ｍの長尺の暗箱１とされている。そしてこの暗箱１の前部に接眼部３と開口部４が設けられ、さらに前部下側に外部記憶再生機５が装着され、該再生機５にヘッドフォン１１が接続されている。
【０００８】
暗箱１の内部は、図２および図３に示すように録画再生表示機１０と外部記憶再生機５、そしてその前部上方に表示画面９の画像を縮小して映す凸ミラー１３が装着され、そして対向位置にその画像を接眼部３に向け転送するための傾倒可能なミラー１４が傾斜板１７上に装着されている。傾倒ミラー１４を組み込んだミラー基板は図４に示すように奥に向かって下方に傾斜する傾斜板１７上に傾倒自在に軸支されており、該ミラー基板はモーター１５の回転に応じて回動する１／４円カム１６にその自重で当接するようにしてある。従ってモーターの回転に合わせて該カム１６の最大半径位置では押し上げられて直立し、カム面から外れた最小半径位置ではその自重で倒れ込み倒伏位置に位置することとなる。
【０００９】
上記の構成により表示画面９の画像は凸ミラー１３上に縮小して映し出され、傾倒ミラー１４が起立しているときはその画像を傾倒ミラー１４を介して見ることとなるが、ミラー１４が倒れた倒伏位置にあるときは視線上から外れて表示画面９を肉眼２で直接見ることとなる。すなわち傾倒ミラー１４を介して凸ミラー１３の縮小画像を見るときは遠方画像を見ることとなり、傾倒ミラー１４が倒れこみ直接大きな表示画面９画像を見ることとなり近方画像を擬似的に見ることになる。従って視力回復訓練はこの作動を連続的に交互に繰り返し行われることによりなされる。
【００１０】
録画再生表示機１０から再生する内容を記憶させる手段としては、ビデオテープ及びＤＶＤディスク８を用いる。このビデオテープ及びＤＶＤディスク８には予め訓練用の視力回復に役立つ画像が記憶されており、また画像に対応した音声、バックミュージック、訓練内容説明などが記憶されている。この音声も外部記憶再生装置５によって再生され、ヘッドフォン１１から訓練者に提供される。表１〜表４はビデオテープ及びＤＶＤディスク８に記憶させておく映像例である。
【００１１】
以下、視力回復訓練方法に関して説明する。
トレーニング▲１▼では視力検査に用いられるランドルマークを大→小、小→大に表示させることにより水晶体と瞳孔の訓練を行う大小訓練を行う。
【００１２】
【表１】
2004337214.tif 000003
【００１３】
トレーニング▲２▼ではゴルフボール状のマークを移動させる事により視線を移動させ上下筋、下直筋や眼球移動筋を訓練する上下・縦横斜めの訓練を行う。
【００１４】
【表２】
2004337214.tif 000004
【００１５】
トレーニング▲３▼では光る星状のマークを移動表示させ、途中真っ暗な画面を表示させる事により瞳孔と虹彩に働きかける明暗の訓練を行う。
【００１６】
【表３】
2004337214.tif 000005
【００１７】
トレーニング▲４▼ではロケット状のマークを廻転させる事により廻転の訓練などが行える映像内容となっている。
【００１８】
【表４】
2004337214.tif 000006
【００１９】
上記に用いるトレーニングの画像やマークについては変更可能である。また、遠近距離変化装置が常に作動しているので、全てのトレーニングに遠近訓練も兼ねている。水晶体を厚くして近くが見え、水晶体を薄くして遠くが見える。遠近の訓練で、水晶体の弾力性の訓練と水晶体を厚くしたり薄くしたりする筋肉（毛様体筋）、虹彩の弾力性を高める。
【００２０】
以上のような構成を備える装置において、具体的に動作内容を説明する。あらかじめコンセントプラグ１８を電源にさしておいた暗箱（本体）１の電源スイッチ６をオンにし、外部記憶再生装置５をリモコン７にて作動させる。予め正しい内容の記録されたビデオテープ及びＤＶＤディスク８の画像をディスプレイ９に表示させ、遠近距離変化機構の起動スイッチ１２をオンする事により駆動モーター１５が作動しカム１６が回転する。該カム１６の作動により傾倒ミラー１４は１分間に約１５回（回数は訓練者の状態により変更可能）起立、倒伏状態を繰り返す。これにより訓練者は、開口部４より肉眼２で直接ディスプレイ画面の映像と傾倒ミラー１４の鏡に映る極小の映像とを交互に注視でき、遠近訓練を行う事ができる。
【００２１】
また、本発明の視力回復装置を訓練者が使用する場合の使用手順は次のとおりである。
１．あらかじめコンセントプラグ１８を電源に接続しておく。
２．リモコン７によって外部記憶再生装置５を作動させ、遠近距離変化機構の起動スイッチ１２を入れる。
３．本体前方の接眼部３上部に額中央、下部に鼻が固定できるように椅子を調整して座り、ヘッドフォン１１を装着する。
４．ディスプレイ表示画面９及び傾倒ミラー１４に映し出される映像を５分間注視して訓練を終了する。
【００２２】
【発明の効果】
以上説明したように、本発明による視力回復装置によれば、周囲を暗く保ちディスプレイ表示画面に視力回復に効果のある訓練内容のビデオテープ及びＤＶＤを再生し、ディスプレイ表示画像９と傾倒ミラー１４画像とを交互に見せることにより座って短時間注視するだけで遠距離画像と近距離画像を連続的に繰り返し見せることが出来る。また肉眼で直接注視できる簡便な構造を実現したことによりレンズ交換やその他の手段も必要なくなり、かつ、いろいろな視力回復トレーニングの切り替え実施が可能であり、短期間に視力回復の効果を得ることが期待できる。
【００２３】
ディスプレイ画面に表示する再生内容は、ビデオテープ及びＤＶＤディスク８に予め正しい訓練内容を記録させておくことによって、容易に同一内容の訓練を誤りなくかつ簡単に実行できる。また、遠近距離変化画像が自動的に目の前に現れるため記録内容に関係なく遠近訓練が行える。時には各々、好みの記録内容のものを再生させても訓練になるため飽きる事なく訓練する事が可能である。
【図面の簡単な説明】
【図１】本発明による視力回復装置を示す斜視図である。
【図２】図１の視力回復装置の側断面図である。
【図３】図１の遠近距離変化機構を示す模式図である。
【図４】遠近距離変化機構のカムの作動で傾倒ミラーを倒伏させた状態を示す側面図である。
【符号の説明】
１    暗箱
２    肉眼
３    接眼部
４    開口部
５    ビデオ及びＤＶＤ（外部記憶再生装置）
６    電源スイッチ
７    外部記憶再生装置リモコン
８    ビデオテープ及びＤＶＤディスク
９    表示画面
１０    録画再生表示機
１１    ヘッドフォン
１２    遠近距離変化機構の起動スイッチ
１３    凸ミラー
１４    傾倒ミラー
１５    駆動モーター
１６    カム
１７    傾斜板
１８    コンセントプラグ
【図１】
2004337214.tif 000007
【図２】
2004337214.tif 000008
【図３】
2004337214.tif 000009
【図４】
2004337214.tif 000010